(57)【特許請求の範囲】
【請求項１】
印刷装置にセットされる印刷用紙の属性を取得する取得手段と、
前記属性に関し且つ情報処理装置で選択可能な複数の印刷設定のうちの、ユーザにより選択された印刷設定を前記情報処理装置から受信する受信手段と、
前記受信手段により受信された印刷設定と、前記取得手段により取得された前記属性に対応する印刷設定とが合致する場合に、当該印刷設定に対応する属性に従って、前記印刷装置に画像を印刷させる印刷制御手段と、
前記受信手段により受信された印刷設定と、前記取得手段により取得された前記属性に対応する印刷設定とが合致しない場合に、ユーザへの所定の通知を行う通知手段と、
を有し、
前記複数の印刷設定は、前記取得手段により取得可能な複数の属性に対応する１つの印刷設定を含むことを特徴とする印刷制御装置。
【請求項２】
印刷装置にセットされる印刷用紙の属性を取得する取得手段と、
前記属性に関し且つ情報処理装置で選択可能な複数の印刷設定のうちの、ユーザにより選択された印刷設定を前記情報処理装置から受信する受信手段と、
前記受信手段により受信された印刷設定と、前記取得手段により取得された前記属性に対応する印刷設定とが合致する場合に、当該印刷設定に対応する属性に従って、前記印刷装置に画像を印刷させる印刷制御手段と、
を有し、
前記複数の印刷設定は、前記取得手段により取得可能な複数の属性に対応する１つの印刷設定を含み、
前記受信手段により受信された印刷設定と、前記取得手段により取得された前記属性に対応する印刷設定とが合致しない場合に、当該受信された印刷設定に対応する属性に応じた印刷が制限されることを特徴とする印刷制御装置。
【請求項３】
印刷装置にセットされる印刷用紙の属性を取得する取得手段と、
前記属性に関し且つ情報処理装置で選択可能な複数の印刷設定のうちの、ユーザにより選択された印刷設定を前記情報処理装置から受信する受信手段と、
前記受信手段により受信された印刷設定と、前記取得手段により取得された属性に対応する印刷設定とが合致する場合に、当該受信された印刷設定に対応する属性に従って、前記印刷装置に画像を印刷させる印刷制御手段と、
を有し、
前記複数の印刷設定は、前記取得手段により取得可能な複数の属性に対応する１つの印刷設定を含み、
前記印刷装置は複数の印刷用紙のそれぞれをセットするための複数の給紙部を備え、前記取得手段は、当該複数の給紙部のそれぞれに対応する属性を当該複数の印刷用紙の属性として取得し、
前記受信手段はさらに、前記印刷装置の前記複数の給紙部のいずれかを指定するための情報を受信し、
前記印刷制御手段は、前記情報により指定されている給紙部に対応する属性に対応する印刷設定と、前記受信手段により受信された印刷設定とが合致する場合に、当該給紙部にセットされている印刷用紙に前記画像を印刷させることを特徴とする印刷制御装置。
【請求項４】
印刷装置にセットされる印刷用紙の属性を取得する取得手段と、
前記属性に関し且つ情報処理装置で選択可能な複数の印刷設定のうちの、ユーザにより選択された印刷設定を前記情報処理装置から受信する受信手段と、
前記受信手段により受信された印刷設定と、前記取得手段により取得された前記属性に対応する印刷設定とが合致する場合に、当該印刷設定に対応する属性に従って、前記印刷装置に画像を印刷させる印刷制御手段と、
を有し、
前記属性は、印刷用紙の材質または表面の特性に関する種類を含み、
前記受信手段は、ユーザにより選択された前記種類に関する印刷設定と、印刷用紙のサイズとを前記情報処理装置から受信し、前記取得手段は、前記印刷装置にセットされる印刷用紙の種類とサイズとを取得し、
前記印刷制御手段は、前記受信手段により受信された印刷設定と、前記取得手段により取得された前記種類の印刷設定が合致し、且つ前記受信手段により受信されたサイズと、前記取得手段により取得されたサイズが合致する場合に、当該印刷設定に対応する種類とサイズのそれぞれに対応する属性に従って、前記画像を印刷させることを特徴とする印刷制御装置。
【請求項５】
印刷用紙をセットするための用紙カセットを含む、画像を印刷するための印刷部と、
表示部と、
前記用紙カセットの操作を検知するためのセンサと、
前記センサにより前記用紙カセットに対して所定の操作が行われたことが検知された場合に、前記表示部に前記用紙カセットにセットされる印刷用紙の属性の登録を行うための画面を表示させ、当該画面に対するユーザの指示に応じて印刷用紙の属性を登録する登録手段と、
前記属性に関し且つ情報処理装置で選択可能な複数の印刷設定のうちの、ユーザにより選択された印刷設定を前記情報処理装置から受信する受信手段と、
前記受信手段により受信された印刷設定と、前記登録手段により登録された前記属性に対応する印刷設定とが合致する場合に、当該印刷設定に対応する属性に従って、前記印刷部に画像を印刷させる印刷制御手段と、
を有することを特徴とする印刷制御装置。
【請求項６】
前記情報処理装置で選択可能な前記複数の印刷設定を、前記情報処理装置が前記印刷制御装置から取得することを特徴とする請求項１乃至５のいずれか１項に記載の印刷制御装置。
【請求項７】
前記情報処理装置が前記印刷制御装置から取得した前記複数の印刷設定が前記情報処理装置により表示され、
前記受信手段は、前記情報処理装置において表示される前記複数の印刷設定のうちの、前記情報処理装置においてユーザにより選択された印刷設定を受信することを特徴とする請求項６に記載の印刷制御装置。
【請求項８】
前記取得手段は、前記印刷装置にセットされる複数の印刷用紙のそれぞれに対応する属性を取得し、前記印刷制御手段は、当該取得された属性と前記受信手段により受信された印刷設定とに基づいて当該複数の印刷用紙から前記画像を印刷する印刷用紙を選択し、当該選択された印刷用紙に当該画像を印刷させることを特徴とする請求項１または２または４に記載の印刷制御装置。
【請求項９】
前記印刷装置は前記複数の印刷用紙のそれぞれをセットするための複数の給紙部を備え、前記取得手段は、当該複数の給紙部のそれぞれに対応する属性を当該複数の印刷用紙の属性として取得し、
前記印刷制御手段は、前記複数の給紙部から前記画像を印刷するときに使用する給紙部を選択することで、前記複数の印刷用紙から当該画像を印刷する印刷用紙を選択することを特徴とする請求項８に記載の印刷制御装置。
【請求項１０】
前記受信手段はさらに、前記印刷装置の前記複数の給紙部のいずれかを指定するための情報を受信し、
前記印刷制御手段は、前記情報により指定されている給紙部に対応する属性に対応する印刷設定と、前記受信手段により受信された印刷設定とが合致する場合に、当該給紙部にセットされている印刷用紙に前記画像を印刷させることを特徴とする請求項９に記載の印刷制御装置。
【請求項１１】
前記登録手段は、複数の用紙カセットにセットされる複数の印刷用紙のそれぞれに対応する属性を取得し、前記印刷制御手段は、当該複数の用紙カセットにうちの、当該取得された属性と前記受信手段により受信された印刷設定とに対応する用紙カセットにセットされている印刷用紙に、前記画像を印刷させることを特徴とする請求項５に記載の印刷制御装置。
【請求項１２】
前記受信手段はさらに、前記複数の用紙カセットのいずれかを指定するための情報を受信し、
前記印刷制御手段は、前記情報により指定されている用紙カセットに対応する属性に対応する印刷設定と、前記受信手段により受信された印刷設定とが合致する場合に、当該用紙カセットにセットされている印刷用紙に前記画像を印刷させることを特徴とする請求項１１に記載の印刷制御装置。
【請求項１３】
前記属性は、印刷用紙の材質または表面の特性に関する種類であり、前記受信手段は、ユーザにより選択された前記種類に関する印刷設定と、印刷用紙のサイズとを前記情報処理装置から受信し、前記取得手段は、前記印刷装置にセットされる印刷用紙の種類とサイズとを取得し、
前記印刷制御手段は、前記受信手段により受信された印刷設定と、前記取得手段により取得された前記種類の印刷設定が合致し、且つ前記受信手段により受信されたサイズと、前記取得手段により取得されたサイズが合致する場合に、当該印刷設定に対応する種類とサイズのそれぞれに対応する属性に従って、前記印刷装置に画像を印刷させることを特徴とする請求項１または２または３に記載の印刷制御装置。
【請求項１４】
前記属性は、前記印刷用紙の材質または表面の特性を含むことを特徴とする請求項１乃至１３のいずれか１項に記載の印刷制御装置。
【請求項１５】
前記属性は、前記印刷用紙のサイズを含むことを特徴とする請求項１乃至１３のいずれか１項に記載の印刷制御装置。
【請求項１６】
前記受信手段は、前記情報処理装置から、前記印刷設定と印刷対象のデータとを含む印刷ジョブを受信し、前記印刷制御手段は、当該印刷ジョブに含まれている当該データに基づく画像を印刷させることを特徴とする請求項１乃至１５のいずれか１項に記載の印刷制御装置。
【請求項１７】
前記受信手段により受信された印刷設定と、前記取得手段により取得された属性に対応する印刷設定とが合致しない場合に、前記取得手段により取得された当該属性に応じた印刷が制限されることを特徴とする請求項１または３または４に記載の印刷制御装置。
【請求項１８】
前記印刷装置としての印刷部を有し、
前記印刷制御手段は、前記印刷部に前記画像を印刷させることを特徴とする請求項１乃至４のいずれか１項に記載の印刷制御装置。
【請求項１９】
前記印刷部にセットされた印刷用紙の属性を登録する登録手段を有し、
前記取得手段は、前記登録手段により登録された属性を取得することを特徴とする請求項１８に記載の印刷制御装置。
【請求項２０】
表示部を有し、
前記登録手段は、前記表示部に前記属性の登録を行うための画面を表示させ、当該画面に対するユーザの指示に応じて、前記属性を登録することを特徴とする請求項１９に記載の印刷制御装置。
【請求項２１】
印刷用紙をセットするための用紙カセットの操作を検知するためのセンサを有し、
前記登録手段は、前記センサにより前記用紙カセットに所定の操作が行われたことが検知された場合に、前記画面を前記表示部に表示させることを特徴とする請求項２０に記載の印刷制御装置。
【請求項２２】
前記所定の操作は、前記用紙カセットを閉じる操作であることを特徴とする請求項５または２１に記載の印刷制御装置。
【請求項２３】
前記印刷制御手段は、前記取得手段により取得された前記属性に従って前記画像を印刷させることを特徴とする請求項１乃至４のいずれか１項に記載の印刷制御装置。
【請求項２４】
前記印刷制御手段は、前記登録手段により登録された前記属性に従って前記画像を印刷させることを特徴とする請求項５に記載の印刷制御装置。
【請求項２５】
前記印刷制御手段は、前記属性に応じたパラメータに従って印刷対象の画像に画像処理を行うことで、前記印刷装置に前記印刷対象の画像を印刷させることを特徴とする請求項２３に記載の印刷制御装置。
【請求項２６】
前記印刷制御手段は、前記属性に応じたパラメータに従って前記印刷装置に印刷用紙の搬送制御を行わせることで、前記印刷装置に画像を印刷させることを特徴とする請求項２３または２５に記載の印刷制御装置。
【請求項２７】
前記印刷制御手段は、前記受信手段により受信された印刷設定と、前記取得手段により取得された属性に対応する印刷設定とが合致しない場合に、ユーザへの所定の通知を行う通知手段をさらに有することを特徴とする請求項２乃至４のいずれか１項に記載の印刷制御装置。
【請求項２８】
前記印刷制御手段は、前記通知手段による前記所定の通知の後にユーザによる所定の指示が行われた場合、前記画像を印刷させることを特徴とする請求項１または２７に記載の印刷制御装置。
【請求項２９】
前記印刷制御手段は、前記制限が行われた場合であっても、ユーザによる所定の指示が行われた場合、前記画像を印刷させることを特徴とする請求項２に記載の印刷制御装置。
【請求項３０】
前記印刷制御手段は、前記所定の指示が行われた場合、前記受信手段により受信された印刷設定に従って前記画像を印刷させることを特徴とする請求項２８または２９に記載の印刷制御装置。
【請求項３１】
印刷装置にセットされる印刷用紙の属性を取得する取得工程と、
前記属性に関し且つ情報処理装置で選択可能な複数の印刷設定のうちの、ユーザにより選択された印刷設定を前記情報処理装置から受信する受信工程と、
前記受信工程により受信された印刷設定と、前記取得工程において取得された前記属性に対応する印刷設定とが合致する場合に、当該印刷設定に対応する属性に従って、前記印刷装置に画像を印刷させる印刷制御工程と、
前記受信工程において受信された印刷設定と、前記取得工程において取得された属性に対応する印刷設定とが合致しない場合に、ユーザへの所定の通知を行う通知工程と、
を有し、
前記複数の印刷設定は、前記取得工程において取得可能な複数の属性に対応する１つの印刷設定を含むことを特徴とする印刷制御方法。
【請求項３２】
画像を印刷する印刷装置と、前記印刷装置に画像を印刷させる情報処理装置とを含む印刷システムにおける印刷制御方法であって、
前記情報処理装置に、
前記印刷装置により使用される印刷用紙の属性に関し且つ前記情報処理装置で選択可能な複数の印刷設定を前記印刷装置から取得する第１の取得工程と、
ユーザの指示に応じて、前記第１の取得工程において取得された前記複数の印刷設定のいずれかを選択する選択工程と、を実行させ、
前記印刷装置に、
前記印刷装置にセットされる印刷用紙の属性を取得する第２の取得工程と、
前記選択工程において選択された印刷設定を前記情報処理装置から受信する受信工程と、
前記受信工程において受信された印刷設定と、前記第２の取得工程において取得された前記属性に対応する印刷設定とが合致する場合に、当該印刷設定に対応する属性に従って、前記印刷装置に画像を印刷させる印刷制御工程と、
前記受信工程において受信された印刷設定と、前記第２の取得工程において取得された前記属性に対応する印刷設定とが合致しない場合に、ユーザへの所定の通知を行う通知工程と、
を実行させ、
前記複数の印刷設定は、前記第２の取得工程において取得可能な複数の属性に対応する１つの印刷設定を含むことを特徴とする印刷制御方法。
【請求項３３】
画像を印刷する印刷装置と、前記印刷装置に画像を印刷させる情報処理装置とを含む印刷システムにおける印刷制御方法であって、
前記情報処理装置に、
前記印刷装置により使用される印刷用紙の属性に関し且つ前記情報処理装置で選択可能な複数の印刷設定を前記印刷装置から取得する第１の取得工程と、
ユーザの指示に応じて、前記第１の取得工程において取得された前記複数の印刷設定のいずれかを選択する選択工程と、を実行させ、
前記印刷装置に、
前記印刷装置にセットされる印刷用紙の属性を取得する第２の取得工程と、
前記選択工程において選択された印刷設定を前記情報処理装置から受信する受信工程と、
前記受信工程において受信された印刷設定と、前記第２の取得工程において取得された前記属性に対応する印刷設定とが合致する場合に、当該印刷設定に対応する属性に従って、前記印刷装置に画像を印刷させる印刷制御工程と、
を実行させ、
前記複数の印刷設定は、前記第２の取得工程において取得可能な複数の属性に対応する１つの印刷設定を含み、
前記受信工程により受信された印刷設定と、前記第２の取得工程において取得された前記属性に対応する印刷設定とが合致しない場合に、当該受信された印刷設定に対応する属性に応じた印刷が制限されることを特徴とする印刷制御方法。
【請求項３４】
請求項１乃至３０のいずれか１項に記載の印刷制御装置の各手段としてコンピュータを機能させるためのプログラム。
【発明の詳細な説明】
【技術分野】
【０００１】
本発明は、印刷装置に画像を印刷させる印刷制御装置、印刷制御方法、およびプログラムに関する。
【背景技術】
【０００２】
従来、印刷装置が印刷用紙の材質や表面の特性を示すタイプ（以下、用紙タイプという）に応じた処理を行うことで、その印刷用紙にとって適切な印刷を行う技術があった。用紙タイプには、主に文字の印刷に使用される普通紙や、主に写真の印刷に使用される写真用紙などが存在する。例えばインクジェットプリンタにおいて、上述の用紙タイプにあわせてインクの打ち込み量やインクの種類を変更することで、それぞれの用紙タイプに適した印刷を行う技術がある。
【０００３】
また特許文献１には、印刷装置にセットされた印刷用紙の用紙タイプを当該印刷装置に登録することが記載されている。
【先行技術文献】
【特許文献】
【０００４】
【特許文献１】特開２００９−５１２２１号公報
【発明の概要】
【発明が解決しようとする課題】
【０００５】
しかしながら、特許文献１に記載のように、印刷装置にセットされた印刷用紙の用紙タイプを当該印刷装置に登録したとしても、ユーザが適切な用紙タイプを容易に指定することができない場合がある。
【０００６】
例えば写真用紙系の用紙タイプでも、光沢タイプ、マットタイプ、絹目タイプ、高級タイプ、廉価タイプなどさまざまな用紙タイプが存在する場合がある。このように多様な用紙タイプから、ユーザが適切な用紙タイプを指定できない場合がある。
【０００７】
本発明は上記の課題を鑑みてなされたものであり、ユーザによる印刷用紙の属性に関する指定を容易にした上で、印刷装置にセットされている印刷用紙の属性に応じた適切な印刷を行わせることができる技術を提供することを目的とする。
【課題を解決するための手段】
【０００８】
上記の課題を鑑みて本願発明の印刷制御装置は、印刷装置にセットされる印刷用紙の属性を取得する取得手段と、前記属性に関し且つ情報処理装置で選択可能な複数の印刷設定のうちの、ユーザにより選択された印刷設定を前記情報処理装置から受信する受信手段と、前記受信手段により受信された印刷設定と、前記取得手段により取得された前記属性に対応する印刷設定とが合致する場合に、当該印刷設定に対応する属性に従って、前記印刷装置に画像を印刷させる印刷制御手段と、前記受信手段により受信された印刷設定と、前記取得手段により取得された前記属性に対応する印刷設定とが合致しない場合に、ユーザへの所定の通知を行う通知手段と、を有し、前記複数の印刷設定は、前記取得手段により取得可能な複数の属性に対応する１つの印刷設定を含むことを特徴とする。
【発明の効果】
【０００９】
本願発明によれば、ユーザは印刷用紙の属性の分類を指定することで、当該分類に含まれ且つ印刷装置にセットされている印刷用紙の属性に従って画像を印刷させることができる。よって、ユーザによる印刷用紙の属性に関する指定を容易にした上で、印刷装置にセットされている印刷用紙の属性に応じた適切な印刷を行わせることができる
【図面の簡単な説明】
【００１０】
【図１】本実施形態に係る印刷システムのシステム構成図である。
【図２】本実施形態の印刷システムの印刷シーケンス図である。
【図３】本実施形態の印刷装置において用紙情報を登録する処理を示すフローチャートである。
【図４】用紙情報を登録するための画面を示す図である。
【図５】印刷装置１２０において登録される用紙情報を示す図である。
【図６】用紙タイプと用紙タイプ分類との対応関係を示す図である。
【図７】端末装置１１０による印刷ジョブ発行処理を示すフローチャートである。
【図８】端末装置１１０に表示される印刷設定画面を示す図である。
【図９】本実施形態における印刷ジョブデータの一例を示す図である。
【図１０】印刷装置１２０による印刷処理を示すフローチャートである。
【図１１】印刷装置１２０による印刷設定の比較処理の詳細を示すフローチャートである。
【図１２】本実施形態における印刷設定処理の結果の一例を示す図である。
【発明を実施するための形態】
【００１１】
以下、本発明の実施形態について説明する。
【００１２】
図１は、本実施形態に係る印刷システムのシステム構成図である。
【００１３】
本実施形態の印刷システムは、印刷ジョブを生成し、印刷指示を行う端末装置１１０と、印刷ジョブを受信して印刷を行う印刷装置１２０を含む。
【００１４】
端末装置１１０は、ＣＰＵ１１１、ＲＯＭ１１２、ＲＡＭ１１３、通信部１１４、操作部１１５、表示部１１６を備える。なお、端末装置１１０において上記の構成要素はバスを介して接続されている。
【００１５】
ＣＰＵ１１１は、端末装置１１０の全体を制御する制御部である。ＲＯＭ１１２は、端末装置１１０を制御するためのプログラムや各種のパラメータ等を記憶する不揮発性のメモリである。ＲＡＭ１１３は、例えばＣＰＵ１１１により処理が実行されるときのワークメモリとして機能する揮発性のメモリである。
【００１６】
ＣＰＵ１１１は、ＲＯＭ１１２に格納されたプログラムをＲＡＭ１１３に展開して実行することにより、端末装置１１０における各種の処理を実行することができる。例えばＣＰＵ１１１は、印刷装置１２０に画像を印刷させるための印刷ジョブを生成し、その印刷ジョブを印刷装置１２０に送信することができる。
【００１７】
通信部１１４は、外部装置と通信するためのインターフェースであり、ＣＰＵ１１１の制御に従って、外部装置への情報の送信、または外部装置からの情報の受信を行うことができる。通信部１１４は、有線のインターフェースであってもよいし、無線のインターフェースであってもよい。通信方式は、例えば無線ＬＡＮもしくは有線ＬＡＮであってもよいし、ＵＳＢやＮＦＣ（Ｎｅａｒ  Ｆｉｅｌｄ  Ｃｏｍｍｕｎｉｃａｔｉｏｎ）等の各種の方式を採用することができる。
【００１８】
操作部１１５は、ユーザが操作するための操作デバイスである。その種類は、キーやタッチパッド、マウス、キーボード、スティックデバイス、ホイールデバイス等の各種のものであってもよい。操作部１１５に対するユーザの操作に応じて、ＣＰＵ１１１にユーザの指示が入力される。表示部１１６は、ＣＰＵ１１１の制御に従って画像やアイコン等の各種の情報を表示する表示デバイスである。なお、操作部１１５、表示部１１６が一体となったタッチパネルであってもよい。
【００１９】
上記の構成により、例えば端末装置１１０が印刷ジョブを生成する場合、ＣＰＵ１１１が印刷設定情報を表示部１１６に表示させる。そしてユーザが操作部１１５を操作することで、所望の印刷設定を表示部１１６において選択し、また印刷指示を行う。この印刷指示を受けてＣＰＵ１１１は、ユーザが選択した印刷設定を含む印刷ジョブデータを生成し、通信部１１４に、当該印刷ジョブデータを通信部１１４に接続されている印刷装置１２０に送信させる。
【００２０】
なおＣＰＵ１１１は、印刷対象の画像の画像データを印刷ジョブデータに含ませてもよいし、別途印刷対象の画像を送信してもよい。或いは、印刷対象の画像そのものではなく、当該画像が格納されている格納場所を示す情報（ＵＲＬ等）を送信してもよい。
【００２１】
また端末装置１１０は、例えば携帯電話やスマートフォン等の各種の携帯端末である。他にも、パーソナルコンピュータやサーバ等の情報処理装置、またはカメラ等の各種の装置が、本実施形態における端末装置１１０の処理を実行する場合であってもよい。
【００２２】
次に印刷装置１２０の構成について説明する。
【００２３】
印刷装置１２０は、ＣＰＵ１２１、ＲＯＭ１２２、ＲＡＭ１２３、通信部１２４、操作部１２５、表示部１２６、および、印刷部１２７、給紙部Ａ１２８、給紙部Ｂ１２９を備える。
【００２４】
ＣＰＵ１２１は、印刷装置１２０の全体を制御する制御部である。ＲＯＭ１２２は、印刷装置１２０を制御するためのプログラムや各種のパラメータ等を記憶する不揮発性のメモリである。ＲＡＭ１２３は、例えばＣＰＵ１２１により処理が実行されるときのワークメモリとして機能する揮発性のメモリである。
【００２５】
ＣＰＵ１２１は、ＲＯＭ１２２に格納されたプログラムをＲＡＭ１２３に展開して実行することにより、印刷装置１２０における各種の処理を実行することができる。
【００２６】
通信部１２４は、上記の端末装置１１０の通信部１１４と同様の構成を有する無線または有線のインターフェースであり、上記の各種の通信方式で通信を行うことができる。操作部１２５は、ユーザが操作するための操作デバイスであり、端末装置１１０の操作部１１５と同様に、その種類は各種のものであってもよい。また操作部１２５に対するユーザの操作に応じて、ＣＰＵ１２１にユーザの指示が入力される。表示部１２６は、ＣＰＵ１２１の制御に従って画像やアイコン等の各種の情報を表示する表示デバイスである。なお、端末装置１１０と同様に、操作部１２５、表示部１２６が一体となったタッチパネルであってもよい。
【００２７】
印刷部１２７は、画像を印刷用紙等の印刷媒体に印刷する印刷デバイスである。なお印刷部１２７は、インクを印刷媒体に吐出することで印刷するインクジェット方式により印刷を行う。ただし、トナーを印刷媒体に付与する電子写真方式等の各種の方式により印刷を行う場合であってもよい。
【００２８】
給紙部Ａ１２８、給紙部Ｂ１２９はそれぞれ、印刷部１２７により画像が印刷される印刷用紙を格納し、印刷部１２７に印刷用紙を給紙する。なお、給紙部Ａ１２８、給紙部Ｂ１２９はそれぞれ独立した給紙部であり、それぞれ異なるサイズの印刷用紙や、異なる種類の印刷用紙を格納、給紙することができる。
【００２９】
上記の構成によりＣＰＵ１２１は、通信部１２４を介して、通信部１２４に接続されている端末装置１１０から印刷ジョブデータを印刷指示として受信することができる。そして、ＲＯＭ１２２の解析プログラムを実行することにより、印刷ジョブデータに含まれている印刷設定情報を取得する。
【００３０】
そしてＣＰＵ１２１は、印刷設定情報に従って、印刷部１２７に印刷処理を実行させる。なお、印刷対象の画像の画像データが印刷ジョブデータに含まれている場合、ＣＰＵ１２１はその画像データをＲＡＭ１２３に展開し、印刷のための各種の処理を行って印刷データを生成した後、印刷部１２７に印刷データを出力する。印刷ジョブデータに印刷対象の画像の格納場所が含まれている場合、ＣＰＵ１２１は、通信部１２４を介してその格納場所にアクセスすることで、画像データを取得する。そして上記の場合と同様の処理を行うことで、印刷部１２７に画像を印刷させる。
【００３１】
なお、印刷装置１２０は、給紙部Ａ１２８または給紙部Ｂ１２９にセットされた印刷用紙の用紙サイズと用紙タイプ等の属性を登録することができる。そして印刷装置１２０は、印刷ジョブデータ内の印刷設定情報が示す印刷用紙の属性と、印刷装置１２０に登録されている属性を考慮して印刷設定を行い、当該印刷設定に応じた印刷を行う。詳細については後述する。
【００３２】
図２は、本実施形態の印刷システムの印刷シーケンス図である。
【００３３】
ステップ２０１でユーザは、印刷装置１２０の給紙部Ａ１２８もしくは給紙部Ｂ１２９に用紙をセットする。ステップ２０２でユーザは、印刷装置１２０の操作部１２５を操作し、表示部１２６の表示画面上で用紙の登録を行う。具体的には、用紙の種類、サイズを印刷装置１２０に登録する。詳細については図３を用いて後述する。
【００３４】
ステップ２０２における用紙の登録が完了すると、ステップ２０３においてユーザは、端末装置１１０に対して、印刷の実行を指示する。この印刷指示を受け端末装置１１０は、ステップ２０４において印刷ジョブを生成し、ステップ２０５において印刷装置１２０に印刷ジョブを発行する。ステップ２０６において印刷装置１２０は、端末装置１１０からの印刷ジョブを受信すると、印刷ジョブの内容に従って印刷を実行する。
【００３５】
なお、ステップ２０３においてユーザが印刷指示を実行する際に、ステップ２０１、２０２における用紙のセット、印刷用紙の属性の登録は必須のものではない。予め用紙がセットされ、属性が登録されている場合に、任意のタイミングで印刷指示を行うことができる。
【００３６】
ところで、ステップ２０４で印刷ジョブを生成するためには、ユーザは印刷を実行するための印刷設定条件、例えば用紙サイズ、用紙タイプ、片面印刷／両面印刷、レイアウトなど様々な設定を行う。また印刷装置１２０は、多種の用紙タイプのそれぞれに応じた印刷を実行可能である。
【００３７】
用紙タイプは、印刷用紙の材質や、また印刷用紙の表面にインク受容層が形成されている場合などは、印刷用紙の表面の特性に対応する。例えば、主に文書の印刷に使用される普通紙や、写真の印刷に使用される写真用紙などに大別される。またインクジェットプリンタの写真印刷機能の高性能化にともなって、写真用紙系の用紙タイプの多様化が進んでいる。そのため、写真用紙系に分類される属性として、光沢タイプ、マットタイプ、絹目タイプ、高級タイプ、廉価タイプなど様々な用紙タイプが写真用紙系に含まれる。
【００３８】
印刷装置１２０は、このような多種の用紙タイプのそれぞれに応じた印刷を行うことで、印刷品位を向上させることができる。しかしながら一方で、ユーザが端末装置１１０において用紙タイプ等の印刷用紙の属性を設定する場合に、上記の多種の用紙タイプからの選択をユーザに要求すると、ユーザの操作が煩雑になることがある。さらに用紙タイプ等の印刷設定は印刷装置１２０の機種によって登録可能な設定が異なる場合がある。そのため、例えばユーザに機種に応じた詳細な設定を要求すると、操作がさらに煩雑になり、適切な設定を行うことできない場合がある。
【００３９】
そこで本実施形態では、端末装置１１０のアプリケーションを印刷装置の機種個別の仕様に合わせない機種非依存の印刷システム（以下、標準印刷システムという）を提供する。具体的には、端末装置１１０においてユーザが設定する印刷条件（例えば印刷用紙の属性としての用紙タイプ）は、機種非依存の設定内容とする。即ち端末装置１１０では、用紙タイプの属性そのものの指定をユーザに要求するのではなく、複数機種で共通の用紙タイプの分類（複数の用紙タイプが含まれる分類）をユーザに指定させる。そして、その印刷条件を含む印刷ジョブを受け付けた印刷装置１２０が、ユーザが指定した分類に該当し、且つ印刷装置１２０に登録されている機種依存の属性を印刷条件として設定する。
【００４０】
即ち、ユーザは端末装置１１０において印刷に必要な大まかな設定を行い、詳細な設定は印刷装置１２０において自動的に行われる。そのため、印刷条件設定に関するユーザの負荷を低減できるとともに、印刷装置１２０において詳細な印刷条件に応じた処理を行うことができる。以下、詳細に説明する。
【００４１】
図３は、本実施形態の印刷装置において用紙情報を登録する処理を示すフローチャートである。なお図３の処理は、図２におけるステップ２０２に対応する。また図３に示す処理に対応するプログラムがＲＯＭ１２２に格納されており、ＣＰＵ１２１がこのプログラムをＲＡＭ１２３上で実行することで、図３に示す処理が実現される。
【００４２】
ステップ３０１でＣＰＵ１２１は、ユーザによる印刷装置１２０への用紙のセットが検知されたか判定する。本実施形態では、給紙部Ａ１２８、給紙部Ｂ１２９のそれぞれに不図示のセンサが備えられており、ステップ３０１ではこのセンサにより用紙のセットが検出されたか判定する。例えばそれぞれの給紙部が備える用紙カセットの開閉を検出するセンサが設けられ、用紙カセットが開き、また閉じられたことがセンサにより検出されると、用紙がセットされたと判定される。他にも、用紙カセットにおける印刷用紙の有無を検出するセンサを設け、これにより用紙のセットが判定されてもよい。またユーザが用紙をセットしたあとで操作部１２５を操作することで、用紙のセットをＣＰＵ１２１に通知する構成であってもかまわない。
【００４３】
ステップ３０１において用紙のセットが検知されると、ステップ３０２において、印刷用紙の属性（サイズやタイプ）を示す用紙情報の登録を手動で行うか、或いは自動で行うか判定される。なお、手動の登録とは、ユーザが操作部１２５を操作して、表示部１２６の画面上で用紙情報を登録する方法である。一方、自動の登録とは、例えば印刷用紙上の無線タグやバーコードをリーダにより読み取ることで用紙情報を取得する方法である。または、センサによって用紙の大きさや用紙タイプなどの属性を解析することで用紙情報が登録されてもよい。
【００４４】
本実施形態では、用紙情報の登録方法が手動であるか自動であるか予め設定されており、上記ステップ３０２でＣＰＵ１２１は、その設定を確認することで登録方法が手動であるか自動であるか判定する。
【００４５】
ステップ３０２において自動登録を行うと判定されると、ステップ３０３において、用紙情報の自動検知を実行する。具体的には、上記のように印刷用紙上の無線タグやバーコードの読取、もしくはセンサによる印刷用紙のサイズ、種類の検知を行う。ステップ３０４でＣＰＵ１２１は、ステップ３０３の自動検知が適切に行われたか判定する。例えば印刷用紙上の無線タグやバーコードが検出されなかった場合に、自動検知が失敗したと判定される。或いは、センサによる印刷用紙のサイズ、種類の検知を行った結果、印刷装置１２０において予め記憶されている定型のサイズ、所定の種類に当該検知結果が該当しなかった場合に、自動検知が失敗したと判定される。
【００４６】
ステップ３０４において自動検知が失敗と判定された場合、もしくは上記ステップ３０２において手動登録と判定された場合、ステップ３０５の処理が実行される。ステップ３０５でＣＰＵ１２１は、表示部１２６に用紙情報の登録のための表示画面を表示させる。この表示画面の詳細については図４を用いて後述する。
【００４７】
ステップ３０６では、ユーザによる用紙情報の登録指示を入力する。なおこの登録指示には、用紙サイズや用紙タイプの選択指示、また用紙情報の決定指示が含まれる。ステップ３０５、ステップ３０６における処理により、ユーザは用紙情報の登録画面を確認しながら、用紙情報を登録する操作を行うことができる。
【００４８】
ステップ３０７でＣＰＵ１２１は、ステップ３０３、３０４における自動検知による得られた用紙情報、またはステップ３０５、３０６においてユーザが手動で指示した用紙情報を登録する。具体的には、ステップ３０１で用紙がセットされた給紙部に対応付けて、用紙情報をＲＡＭ１２３またはＲＯＭ１２２に記憶する。なお、ステップ３０７でＣＰＵ１２１は、２つの給紙部のそれぞれに設けられたセンサのうちの、ステップ３０１において用紙セットを検出したセンサを特定することで、用紙がセットされた給紙部を判定することができる。そして、そのように判定された給紙部と対応付けられて用紙情報が登録される。
【００４９】
なお、印刷装置１２０は、用紙情報の登録方法として手動登録のみを実行する場合であってもよい。この場合、ステップ３０２における処理は省略されてもよい。また用紙情報の登録は、ステップ３０１で用紙セットが検知されたことに応じて実行されたことに応じて実行される場合に限らず、用紙のセットが検知された後、任意のタイミングで実行されてもよい。
【００５０】
図４は、用紙情報を登録するための画面を示す図である。この画面が上記のステップ３０５において表示される。
【００５１】
表示項目４０２は、給紙部Ａ１２８、給紙部Ｂ１２９のそれぞれの給紙口（用紙カセット）のうち、用紙情報を登録する給紙口を示している。本実施形態では、給紙部Ａ１２８、給紙部Ｂ１２９のそれぞれに用紙カセットの開閉を検出するセンサが設けられている。そのため、ステップ３０１で用紙のセットが検出された場合、どちらの給紙部に用紙がセットされたか特定することができる。よって表示項目４０２には、ユーザが用紙をセットした給紙部が自動的に表示される。
【００５２】
なお、例えば印刷装置１２０が給紙部を一つしか備えない場合でもよく、この場合、表示項目４０２は表示されなくてもよい。また、給紙部が３つ以上存在する場合であってもよい。
【００５３】
表示項目４０３は、用紙サイズの登録をユーザに促すための表示である。用紙サイズは、Ａ４、レター、Ｌ判などのサイズを含む。操作部１２５が例えば十字キーを含む場合、ユーザは上下キーを用いて表示項目４０３にフォーカスを合わせ、左右キーを用いて用紙サイズを選択する選択指示を行うことができる。また操作部１２５がタッチパネルを含む場合、例えばユーザは表示項目４０３をタッチし、その後、左右にドラッグ操作、またはフリック操作を行うことで、用紙サイズの選択指示を行うことができる。
【００５４】
表示項目４０４は、用紙タイプの登録をユーザに促すための表示である。用紙タイプは、普通紙、写真紙などの用紙の種類が選択候補になり、また写真紙の中でも、光沢フォト紙、マットフォト紙や、印刷装置１２０のメーカーが提供する独自の写真紙など、多種の用紙タイプから選択することができる。用紙タイプの選択操作については用紙サイズの場合と同様であるため説明を省略する。
【００５５】
なお、上記のように手動登録する場合に、ステップ３０３で説明した用紙情報の自動検知を利用してもよい。例えば自動検知により取得された用紙サイズや用紙タイプを表示項目４０３、４０４で表示し、ユーザがそれを画面上で確認して、必要であれば変更する構成であってもかまわない。
【００５６】
図４に示す画面においてユーザが所望の用紙情報を選択し、操作部１２５における不図示の決定キーを押すことで、ステップ３０７における用紙情報の登録処理が実行される。
【００５７】
上記のように本実施形態では、図３の登録処理において、印刷装置１２０に応じた詳細な用紙情報を登録することができる。具体的には、写真用の用紙タイプとして光沢フォト紙、マットフォト紙等の詳細な用紙タイプを登録することができる。
【００５８】
しかしながら本実施形態において端末装置１１０では、例えば用紙タイプの分類として「写真用紙」を設定可能あるが、写真用紙の中での詳細な用紙タイプは設定させない。そのため印刷装置１２０では、図３の処理で指定された詳細な用紙タイプと、当該用紙情報が該当する、端末装置１１０で設定可能な用紙タイプ分類とを対応付けて登録する。
【００５９】
図５は、印刷装置１２０において登録される用紙情報を示す図である。なお、図４に示すテーブルは、ステップ３０７におけるＣＰＵ１２１による処理により、ＲＯＭ１２２またはＲＡＭ１２３に記憶される。
【００６０】
給紙口５０１は、給紙部Ａ１２８および給紙部Ｂ１２９の２つの給紙口のうち、どちらの給紙部に該当するか示す。ここでは「給紙部Ａ」か「給紙部Ｂ」に対応する値が給紙口５０１の情報として登録される。
【００６１】
用紙サイズ５０２、用紙タイプ５０４はそれぞれ、図３の処理により印刷装置１２０に登録されている用紙サイズ、用紙タイプ５０４を示す情報である。
【００６２】
用紙タイプ分類５０３は、用紙タイプ５０４が示す用紙タイプが該当する分類を示す。なお印刷装置１２０では、用紙タイプ５０４として登録可能な用紙タイプと、その用紙タイプに該当する分類とが予めＲＯＭ１２２において対応付けられている。そしてＣＰＵ１２１はその対応付けを参照することで、用紙タイプ分類５０３を決定する。
【００６３】
図６は、用紙タイプと用紙タイプ分類との対応関係を示す図である。なお、図６に示すテーブルがＲＯＭ１２２に予め記憶されている。
【００６４】
用紙タイプ６０１には、普通紙、はがき、封筒、高級フォト紙、廉価フォト紙、マットフォト紙、光沢フォト紙、絹目フォト紙、フィルムフォト紙が含まれる。それぞれの用紙タイプに対して、用紙タイプ分類６０２が定められており、普通紙系、はがき系、封筒系、写真紙系がある。図６の分類に従うと、普通紙は普通紙系、はがきははがき系、封筒は封筒系、それ以外は写真紙系に分類されている。
【００６５】
ＣＰＵ１２１は、図３のステップ３０７において図６に示す情報を参照することにより、登録対象の用紙タイプ５０４に対応する用紙タイプ分類を特定し、それを用紙タイプ分類５０３として登録する。例えば図５に示すように、給紙部Ａ１２８に「Ｌ判の光沢フォト紙」、給紙部Ｂ１２９に「Ａ４のマットフォト紙」の用紙をセットされている。そのため用紙タイプ分類５０３には、２つの給紙部のいずれにも「写真用紙」が登録される。なお、例えば用紙タイプ５０４に「普通紙」や「封筒」が登録される場合、用紙タイプ分類５０３には、「普通紙」や「封筒」が登録される。
【００６６】
なお、例えば、印刷装置が給紙部Ａ１２８のみ有する構成であれば、給紙口５０１で登録される値は給紙部Ａのみであってもよいし、給紙口５０１を省略してもかまわない。また、用紙情報５００は用紙タイプ分類５０３を含まなくてもよく、ＣＰＵ１２１が必要な時に図６のテーブルを参照することで、用紙タイプ５０４に対応する用紙タイプ分類を特定してもよい。
【００６７】
以上のように、図２のステップ２０１でユーザが用紙をセットすると、図３〜図６を用いて説明した用紙情報の登録処理（ステップ２０２）が実行される。
【００６８】
次に、図２におけるステップ２０３以降の処理について詳細に説明する。
【００６９】
図７は、端末装置１１０による印刷ジョブ発行処理を示すフローチャートである。なお、この処理は図２のステップ２０４に対応するものである。また図７に示すフローチャートに対応するプログラムが端末装置１１０のＲＯＭ１１２に格納されており、ＣＰＵ１１１がこのプログラムをＲＡＭ１１３上で実行することで、図７に示す処理が実現される。例えば図７に示すフローチャートを実現可能なアプリケーションプログラムがＲＯＭ１１２にインストールされている。そしてＣＰＵ１１１がそのアプリケーションプログラムを実行する。
【００７０】
また図７の処理は、端末装置１１０において印刷装置１２０と接続するための処理が行われ、且つ端末装置１１０のアプリケーションにおいてＲＯＭ１１２内の画像から印刷対象の画像が選択された後に実行される。例えばユーザが印刷対象の画像を表示部１１６上で選択した後、表示部１１６上の「印刷設定ボタン」、もしくは「印刷ボタン」を指示した場合に図７の処理が実行される。
【００７１】
ステップ７０１においてＣＰＵ１１１は、ユーザが端末装置１１０において選択可能な印刷設定を取得する。具体的には、上記のアプリケーションプログラムがインストールされたときに、アプリケーションプログラムにおいて選択可能な印刷設定を示す情報がＲＯＭ１１２に格納される。そしてステップ７０１では、そのＲＯＭ１１２に格納された印刷設定の情報が取得される。または、通信部１１４を介して印刷装置１２０から、端末装置１１０において選択可能な印刷設定が取得されてもよい。
【００７２】
ステップ７０２でＣＰＵ１１１は、端末装置１１０の表示部１１６に、ユーザが印刷設定を選択するための画面を表示させる。ステップ７０１において取得された印刷設定が、ステップ７０２で表示される画面における印刷設定の選択候補となる。
【００７３】
図８は、端末装置１１０に表示される印刷設定画面を示す図である。
【００７４】
印刷設定画面８０１は、印刷設定メニューであることを示すタイトル８０２、及び印刷設定項目を示す８０３〜８０８の項目名を含む。
【００７５】
図８に示す画面において、それぞれの項目に対して、ユーザは操作部１１５を用いて、所定の設定を選択することができる。なお、ユーザによる印刷設定の選択操作は、図４で説明した印刷装置１２０における操作と同様に、操作部１１５の十字キーやタッチパネルを操作することで選択することができる。
【００７６】
用紙サイズ８０３は、「Ａ４」「Ｌ判」などの用紙サイズを選択するための項目である。
【００７７】
用紙タイプ分類８０４は、「写真用紙」、「普通紙」、「封筒」、「はがき」等の用紙タイプの分類を選択するための項目である。この用紙タイプ分類８０４は、印刷装置１２０に登録されている、図５に示した用紙タイプ分類５０３に対応している。即ち端末装置１１０では、印刷装置１２０における用紙タイプ５０４ではなく、それらの分類を示す用紙タイプ分類が指定される。
【００７８】
そして、印刷装置１２０では、端末装置１１０において選択された用紙タイプ分類８０４に該当する用紙タイプ分類５０３を特定し、特定された用紙タイプ分類５０３に対応付けられている用紙タイプ５０４に従って印刷を行う。
【００７９】
このように、用紙タイプ５０４のような印刷装置１２０の種類に依存する詳細な設定は、印刷装置１２０において自動で決定される。そのため、端末装置１１０における印刷設定画面８０１では、詳細な用紙タイプが表示されなくてもよい。
【００８０】
また用紙タイプ分類８０４は、用紙タイプ５０４のようにメーカーに依存する詳細な用紙タイプ名ではない。そのため、ユーザは、個別の印刷装置に依存する用紙タイプ名称を意識しなくても、印刷設定を行うことができる。また端末装置１１０にインストールされるアプリケーションプログラムが複数機種の印刷装置に対応するものであったとしても、機種依存の用紙タイプ名をアプリケーションが表示する必要が無い。
【００８１】
なお、本実施形態では用紙タイプ分類８０４は、図６で説明した用紙タイプ分類６０２に対応するが、同一の情報である必要はなく、例えば予め定められた標準印刷システムの規格に基づいて仕様として定められてもよい。例えば端末装置１１０において用紙タイプ分類８０４として設定可能な「普通紙」、「はがき」、「封筒」、「写真用紙」が、印刷装置１２０において、用紙タイプ分類６０２として「普通紙系」、「はがき系」、「封筒系」、「写真紙系」と対応付けられる。そのため、図５の例では、図６における用紙タイプ分類６０２の「写真紙系」が、用紙タイプ分類５０３として「写真用紙」として登録される。
【００８２】
また端末装置１１０と印刷装置１２０が、それぞれの通信部である通信部１１４と通信部１２４を用いて、両者の接続時に実行される印刷システムのネゴシエーション処理において、用紙タイプ分類の同期処理を行ってもよい。
【００８３】
印刷面８０５は印刷が実行される際の印刷レイアウトを示し、「片面」「両面」など、印刷用紙において画像が印刷される印刷面を選択することができる。なおこれに加え、「２ｉｎ１」、「４ｉｎ１」など、１枚の印刷用紙に印刷されるページ数を選択できる場合であってもよいし、「フチなし印刷」、「フチあり印刷」等、印刷用紙の端に余白を設けるか否かを選択できてもよい。
【００８４】
印刷品位８０６は、印刷の仕上がりを示す項目であり、印刷スピードを優先する「標準」もしくは印刷品位を優先する「高品位」を選択することができる。
【００８５】
色８０７は印刷される画像の色を示し、「カラー」「モノクロ」などの印刷される画像の色を選択することができる。
【００８６】
給紙口８０８は、印刷に用いられる給紙口を指定するための項目であり、「給紙部Ａ」「給紙部Ｂ」などの給紙口を選択することができる。
【００８７】
なお、図８に示す画面で選択可能な設定内容は、ステップ７０１において取得された印刷設定に制限される。例えば、印刷装置１２０が両面印刷に対応していない場合は、印刷面８０５は「片面」のみが選択可能であり、この場合、印刷面８０５の表示を省略してもよい。また８０３〜８０８で選択する内容についても特に規定しない。例えば、設定項目の内容を端末装置１１０のアプリケーション仕様に任せる場合や、印刷装置１２０の仕様に任せる場合に、「自動」を示す文言を表示させてもよい。この場合、アプリケーションプログラムや印刷装置１２０により自動的に当該項目の印刷設定が行われる。また設定項目の選択肢を「自動」のみとする仕様であれば、項目名を表示させなくてもよい。印刷設定画面８０１で表示する内容やレイアウトも特に限定しない。例えば、印刷設定メニューのタイトル８０２を省略してもかまわない。
【００８８】
図７のステップ７０３では、上記図８において表示された画面に対するユーザの指示に応じて印刷設定の内容が決定され、操作部１１５により決定指示が行われると、印刷設定を確定する。なお、上記の決定指示は、例えば表示部１２６上に不図示の「決定ボタン」が表示され、ユーザが操作部１１５としてのタッチパネルでその「決定ボタン」をタッチすることで決定される。このように決定された印刷設定は、端末装置１１０のＲＡＭ１１３に記憶される。
【００８９】
図７のステップ７０４でＣＰＵ１１１は、例えばユーザが表示部１２６に表示された「印刷ボタン」を操作部１１５としてのタッチパネル上でタッチすることで、印刷ジョブを発行する。具体的には、ＣＰＵ１１１は、ステップ７０３において決定されＲＡＭ１１３に記憶されている印刷設定を含む印刷ジョブデータをＲＡＭ１１３上で生成し、通信部１１４を用いて印刷ジョブデータを印刷装置１２０に送信する。なお、ステップ７０４における処理は、図２におけるステップ２０４、ステップ２０５に対応する。
【００９０】
図９は、本実施形態における印刷ジョブデータの一例を示す図である。この印刷ジョブデータがステップ７０４において生成される。
【００９１】
印刷ジョブ９００は、印刷設定９１０と印刷データ９２０を含む。印刷設定９１０は、９０３〜９０８の各項目に対応する印刷設定情報を有する。これらの印刷設定情報は、図８の８０３〜８０８で説明した各項目に対応しており、ユーザが図８の画面上で選択した印刷設定の内容が含まれている。
【００９２】
印刷データ９２０は印刷対象のデータである。標準印刷システムの場合、印刷データ９２０は、印刷装置１２０の装置固有のフォーマットではなく、標準印刷システムの仕様規格によって定められたデータフォーマットであることが望ましい。本実施形態では印刷データ９２０のフォーマットについて特に規定しないが、本実施形態ではＪＰＥＧフォーマットの画像データとする。なお、印刷設定９１０と印刷データ９２０以外のデータが印刷ジョブ９００に含まれていてもかまわない。
【００９３】
また、印刷設定９１０と印刷データ９２０は、例えば印刷ジョブ９００のように１つのファイルに纏まったデータであってもよいし、個別のデータであってもよい。例えば、印刷設定９１０と印刷データ９２０を２つに分割し、印刷設定９１０のみが先に端末装置１１０から印刷装置１２０に送信され、その後、印刷データ９２０が送信されてもかまわない。
【００９４】
また、印刷ジョブ９００の印刷設定９１０に含まれる各種設定についても特に限定されるものではなく、図８の８０３〜８０８で説明した画面で選択された値と連動していなくてもかまわない。例えば、９０７の色の設定について、ユーザが印刷設定画面８０１の色８０７の指定で、カラーかモノクロを選択したとする。そのとき、端末装置１１０のアプリケーションで、印刷対象の画像にカラー化またはモノクロ化するための画像処理を実行してもよい。この場合、印刷データ９２０には既にユーザが指定した色が反映された画像データが含まれているため、印刷設定９１０では色９０７の項目を含まなくてもよい。
【００９５】
図７のステップ７０４の処理により端末装置１１０が印刷設定９１０を含む印刷ジョブを発行すると、その印刷ジョブが印刷装置１２０により受信され、図２のステップ２０６において、印刷装置１２０が印刷を実行する。以下、印刷装置１２０の印刷処理について詳細に説明する。
【００９６】
図１０は、印刷装置１２０による印刷処理を示すフローチャートである。なお、図１０の処理に対応するプログラムがＲＯＭ１２２に格納されており、ＣＰＵ１２１がこのプログラムをＲＡＭ１２３上で実行することで、図１０に示す処理が実現される。
【００９７】
ステップ１００１においてＣＰＵ１２１は、通信部１２４により印刷ジョブ９００が受信されたか判定する。印刷ジョブが受信されると、ＣＰＵ１２１はステップ１００２において、印刷ジョブの解析を行う。具体的には、ＣＰＵ１２１は、印刷ジョブ９００に含まれる印刷設定９１０の９０３〜９０８の各項目に対応する印刷設定を取得する。またステップ１００２でＣＰＵ１２１は、図３の処理によりＲＡＭ１１３またはＲＯＭ１１２に格納されている印刷装置の用紙情報５００を取得する。
【００９８】
ステップ１００３でＣＰＵ１２１は、ステップ１００２において取得された「印刷ジョブの印刷設定９１０」と「印刷装置の用紙情報５００」とを比較する。具体的には、用紙サイズ、用紙タイプ分類、給紙口の３つの項目について、両者を比較する。そして、印刷設定９１０の上記３つの項目の内容と合致する用紙情報が用紙情報５００に含まれているか否かにより、その用紙情報を採用するか否かが判定される。なお、ステップ１００３の処理の詳細については、図１１を用いて後述する。
【００９９】
印刷設定９１０の上記３つの項目に合致する用紙情報５００が印刷装置１２０に登録されている場合、ステップ１００５に進む。ステップ１００５においてＣＰＵ１２１は、その用紙情報５００に規定されている給紙口５０１、用紙サイズ５０２、用紙タイプ５０４、及び印刷設定９１０の印刷面９０５、印刷品位９０６、色９０７に従って印刷する。即ちＣＰＵ１２１は、給紙口５０１に規定されている給紙部に印刷用紙を給紙させる。そして、その他の設定項目の内容に応じた画像処理パラメータ、メカパラメータに従って画像処理、また印刷用紙の搬送制御を行い、印刷部１２７に印刷データ９２０に基づく画像を印刷させる。例えば印刷装置１２０がインクジェット方式で印刷を行う場合、ＣＰＵ１２１は用紙タイプにあわせたインクの打ち込み量やインクの種類を変更するよう各部を制御することで、それぞれの用紙タイプに適した印刷を実行させる。
【０１００】
一方、印刷設定９１０の上記３つの項目に合致する用紙情報５００が印刷装置１２０に登録されていない場合、ステップ１００６においてＣＰＵ１２１は、不一致時の処理を実行する。例えば、エラーとして印刷ジョブ９００をキャンセルしてもよい。または、予め定められた仕様に従って、印刷装置１２０側において用紙情報５００として登録されている設定を優先してもよいし、印刷ジョブ９００内の印刷設定９１０の設定内容を優先してもよい。
【０１０１】
端末装置１１０による設定である印刷設定９１０を優先する場合は、印刷ジョブ９００の用紙タイプ分類に対してあらかじめ決められた所定の用紙タイプを採用する。例えば、写真用紙のときは廉価フォト紙を印刷設定として採用する。またステップ１００６では、端末装置１１０による設定である印刷設定９１０を優先するか、印刷装置１２０側の設定である用紙情報５００を優先するかを、ユーザが選択する仕様でもよい。この場合、印刷装置１２０の表示部１２６によりユーザに問い合わせてもよいし、印刷装置１２０から端末装置１１０に不一致の旨を通知し、端末装置１１０の表示部１１６にて問合せを行ってもよい。
【０１０２】
また上記のように、印刷装置１２０側において用紙情報５００として登録されている設定もしくは印刷ジョブ９００内の印刷設定９１０の設定に従って印刷を実行させる場合、「強制印刷」のボタンが表示されてもよい。この「強制印刷」のボタンは、印刷装置１２０の表示部１２６もしくは端末装置１１０の表示部１１６においてエラー表示が行われた上で、表示される。そして、「強制印刷」のボタンがユーザに指示された場合、印刷装置１２０における用紙情報５００、もしくは印刷ジョブ９００に規定されている用紙サイズ（用紙タイプ分類）、用紙タイプに従って印刷を行う。
【０１０３】
また、印刷ジョブ９００の設定が優先される場合、例えば印刷ジョブ９００において指定されている用紙サイズが、用紙情報５００における用紙サイズ以下の場合のみ、上記「強制印刷」ボタンを表示させてもよい。印刷ジョブ９００において指定されている用紙サイズが用紙情報５００のものより大きな場合、印刷ジョブ９００の用紙サイズに対応する画像を印刷すると、実際の用紙よりも画像が大きく、画像が欠けてしまう場合がある。よってこの場合には「強制印刷」ボタンを表示させないことで、上記のように画像が欠けて印刷されてしまうことを防ぐことができる。
【０１０４】
或いは、「強制印刷」ボタンが指示された場合、２つの給紙部のうち、印刷ジョブ９００において指定されている用紙サイズ以上の用紙サイズが登録されている給紙部の印刷用紙に印刷を行ってもよい。また、このような給紙部が無い場合、エラー表示が行われてもよいし、そもそも「強制印刷」ボタンが表示されなくてもよい。
【０１０５】
またステップ１００６において、用紙情報５００の内容が、印刷装置１２０から端末装置１１０に通知されてもよい。そして、用紙情報５００に対応する用紙タイプ分類、用紙サイズが、端末装置１１０において表示されてもよい。これにより端末装置１１０のユーザは、印刷装置１２０において印刷が許可される設定を把握した上で、印刷設定を再設定することができる。この場合、端末装置１１０が再度印刷ジョブの発行をしてもよいし、変更後の印刷設定９１０を端末装置１１０から印刷装置１２０に送信してもよい。後者の場合、印刷装置１２０は、エラー発生時に受信していた印刷ジョブ９００内の印刷データ９２０を、新たに受信した変更後の印刷設定に従って印刷する。
【０１０６】
図１１は、印刷装置１２０による印刷設定の比較処理の詳細を示すフローチャートである。図１１のフローチャートは、図１０のＳ１００４における処理の詳細を示す。
【０１０７】
ステップ１１０１でＣＰＵ１２１は、印刷ジョブの印刷設定９１０において、給紙口指定の有無が判定される。例えば図８に示した画面において給紙口８０８の項目に対して「自動」が選択された場合、印刷ジョブにおける給紙口９０８の項目には、「自動」が記述されるか、もしくは空欄である。この場合に、印刷設定９１０において給紙口の指定が無いと判定される。ステップ１１０１において給紙口の指定がないと判定された場合Ｓ１１０５に進み、指定があると判定された場合、Ｓ１１０２に進む。
【０１０８】
Ｓ１１０２でＣＰＵ１２１は、用紙情報５００を参照し、印刷ジョブの印刷設定９１０と指定された給紙口に該当する用紙情報を取得する。具体的には、給紙口５０１で指定されている２つの給紙口のうち、印刷設定９１０で指定されている給紙口が特定される。そして、その給紙口と一致する給紙口５０１が設定されている用紙情報の用紙サイズ、用紙タイプ分類５０３、用紙タイプ５０４が取得される。
【０１０９】
ただし、印刷ジョブにおいて指定された給紙口に対して、印刷装置１２０で用紙情報が登録されていない場合がある。例えば、印刷ジョブ９００に「給紙部Ｂ」の指定があったが、印刷装置の用紙情報に「給紙部Ｂ」を含む用紙情報が登録されていない場合がある。
そのためステップ１１０３でＣＰＵ１２１は、ステップ１１０２において用紙情報が取得されたか判定され、取得されなかった場合、ステップ１１１３に進む。ステップ１１１３では、印刷ジョブの印刷設定９１０に一致する印刷装置の用紙情報５００はないと判定される。この場合、図１０のステップ１００４では「Ｎｏ」と判定される。
【０１１０】
一方、ステップ１１０２において用紙情報が取得された場合、ステップ１１０３で「Ｙｅｓ」と判定され、ステップ１１０４に進む。ステップ１１０４においてＣＰＵ１２１は、印刷装置１２０に登録されている用紙情報を絞り込む。例えば、印刷ジョブに「給紙部Ｂ」の指定があり、かつ印刷装置の用紙情報５００にも「給紙部Ｂ」を含む用紙情報が登録されていた場合は、「給紙部Ｂ」を含む用紙情報のみを、最終的に印刷に用いる印刷設定の候補とする。そして、それ以外の印刷装置の用紙情報、例えば「給紙部Ａ」を含む用紙情報は、印刷設定の候補から外す。
【０１１１】
次に、ステップ１１０５においてＣＰＵ１２１は、印刷ジョブの印刷ジョブの印刷設定９１０において用紙サイズの指定がされているか判定する。即ち、図８の画面において、ユーザが用紙サイズ８０３として用紙サイズを指定したか、「自動」を指定したか判定される。この判定の方法は、ステップ１１０１と同様である。用紙サイズが指定されている場合、ＣＰＵ１２１はステップ１１０６において、印刷ジョブで指定された用紙サイズと一致する用紙サイズ５０２が設定されている印刷装置用紙の用紙情報を取得する。ここでの取得方法は、ステップ１１０２と同様である。なお、ステップ１１０４において用紙情報の絞り込みが行われていた場合、絞り込まれた用紙情報のみにおいて、印刷ジョブで指定された用紙サイズが設定されているか判定される。
【０１１２】
ステップ１１０７においてＣＰＵ１２１は、印刷ジョブで指定された用紙サイズと一致する用紙サイズを含む用紙情報が取得されたか判定される。このような用紙情報が取得されなかった場合、ステップ１１１３において上記の処理が実行される。例えば、印刷ジョブ９００に「Ａ４」の指定があったが、印刷装置の用紙情報に「Ａ４」を含む印刷情報が登録されていない場合、ステップ１１１３の処理が実行される。ステップ１１０７において、印刷ジョブで指定された用紙サイズと一致する用紙サイズを含む用紙情報が取得されたと判定された場合、ステップ１１０８に進む。
【０１１３】
ステップ１１０８においてＣＰＵ１２１は、印刷設定の候補を、Ｓ１１０６において取得された用紙情報に絞り込む。例えば、印刷ジョブに「Ａ４」の用紙サイズ指定があり、かつ、印刷装置の用紙情報５００にも用紙サイズ「Ａ４」を含む設定が登録されていた場合は、「Ａ４」を含む用紙情報を印刷設定の候補とする。そして、それ以外の印刷装置の用紙情報、例えば「Ｌ判」を含む印刷装置の用紙情報は印刷設定の候補から外す。
【０１１４】
次にＣＰＵ１２１はステップ１１０９において、印刷ジョブにおいて用紙タイプ分類が指定されているか判定する。即ち図８の用紙タイプ分類８０４において、ユーザが用紙タイプ分類を指定しているか、「自動」を指定しているか判定される。この判定方法は、ステップ１１０１、ステップ１１０５と同様である。ステップ１１０９において、印刷ジョブで用紙タイプ分類が指定されていると判定されると、ステップ１１１０に進む。
【０１１５】
ステップ１１１０でＣＰＵ１２１は、印刷用紙の用紙情報５００において、印刷ジョブの印刷設定９１０の用紙タイプ分類９０４において指定されている用紙タイプ分類と、用紙タイプ分類５０３が一致する用紙情報を取得する。なお、ステップ１１０８において用紙情報の絞り込みが行われている場合、絞り込み後の用紙情報のみがステップ１１１０の処理の対象となる。
【０１１６】
ステップ１１１１においてＣＰＵ１２１は、ステップ１１１０の処理により用紙情報が取得されたか判定する。この判定方法は、ステップ１１０３、ステップ１１０７と同様である。ステップ１１１１において、ステップ１１１０において用紙情報が取得されなかったと判定された場合、ステップ１１１３の処理が実行される。例えば、印刷ジョブに「写真用紙」の指定があったが、印刷装置の用紙情報に「写真用紙」を含む用紙情報が登録されていない場合、ステップ１１１３の処理が実行される。
【０１１７】
ステップ１１１１において用紙情報が取得されたと判定された場合、ステップ１１１２に進む。例えば印刷ジョブ９００の用紙タイプ分類９０４において「写真用紙」の指定があり、且つ用紙情報５００の用紙タイプ分類５０３として「写真用紙」を含む用紙情報が登録されていた場合は、その用紙情報が取得され、ステップ１１１２の処理が実行される。
【０１１８】
ステップ１１１２においてＣＰＵ１２１は、ステップ１１１０において取得された用紙情報において設定されている用紙タイプ５０４を特定する。
【０１１９】
例えばステップ１１０１〜ステップ１１１１の処理の結果、図５に示す表の下段に示す用紙情報が印刷設定の候補として残っており、印刷ジョブ９００の用紙タイプ分類９０４で「写真用紙」が指定されていた場合がある。この場合、ステップ１１１２では、用紙タイプ５０４として「マットフォト紙」が特定される。
【０１２０】
なお、例えばステップ１１０４、ステップ１１０８による絞り込みが行われず、給紙部Ａ１２８、給紙部Ｂ１２９に対応する用紙情報が印刷ジョブ９００で指定されている用紙タイプ分類を含む場合、用紙タイプの候補が２つ存在する。また印刷ジョブ９００において、給紙口、用紙サイズ、用紙タイプ分類のいずれも指定されていない場合も、用紙タイプの候補が２つ存在する。
【０１２１】
そこでＣＰＵ１２１はステップ１１１４において、印刷に用いられる印刷設定として採用される候補として用紙タイプ５０４が複数存在するか判定される。候補が１つに絞り込めている場合、図１１の処理を終了する。そして、その絞り込まれた用紙タイプ５０４を含む用紙情報が、図１０のステップ１００５における印刷において印刷設定として用いられる。
【０１２２】
一方、印刷設定の候補として用紙タイプ５０４が複数存在する場合、ステップ１１１５において、予め決められている所定の優先順位に従って候補を一つに絞り込む。例えば給紙部に定められた優先順位に従って、給紙部Ａ１２８と給紙部Ｂ１２９のうち、優先順位の高い給紙部に対して登録されている用紙タイプが選ばれる。そして、その絞り込まれた用紙タイプ５０４を含む用紙情報が、図１０のステップ１００５における印刷において印刷設定として用いられる。なお、上記の給紙部に対応する優先順位は固定の優先順位であってもよいし、ユーザが例えば表示部１２６の表示において、操作部１２５を操作することで決定してもよい。またはデフォルト設定として給紙部Ａ１２８と給紙部Ｂ１２９のうち、優先度の高い給紙部が決定されており、ユーザがその優先順位を変更する場合であってもよい。なお、固定の優先順位の場合、給紙部Ａ１２８、給紙部Ｂ１２９のどちらが高い優先順位であってもよい。ただし、例えば２つの給紙部が印刷装置１２０において印刷部１２７の下に上下２段に配置されている場合、上に配置されている給紙部の優先順位を高くしてもよい。上に配置されている給紙部の場合、給紙部から印刷部１２７までの距離が短いため、上に配置されている給紙部の優先順位を高くすることで、印刷スピードを向上させることができる。
【０１２３】
また、ステップ１１１４において、印刷設定の候補として用紙タイプが複数存在した場合は、ステップ１１１３の処理が実行されてもよい。または例えば印刷ジョブ９００において指定されている色９０７、印刷面９０５などを使って印刷装置の用紙情報５００を絞り込んでもかまわない。例えば、２つの候補のうち、一方が写真紙系であり、もう一方が普通紙系であったとする。そして色９０７がモノクロである場合や、印刷面９０５が両面である場合、印刷用紙として普通紙が使用されることが多い。そのため、色９０７がモノクロである場合、もしくは印刷面９０５が両面である場合、用紙タイプ５０４として普通紙が設定されている用紙情報を採用してもよい。
【０１２４】
なお、図１１では、給紙口、用紙サイズ、用紙タイプ分類の順に、印刷ジョブと用紙情報とで比較を行う例を示した。しかし比較対象の項目や比較順序はこれに限定されない。例えば、ステップ１１０１〜１１０４までの給紙部の比較と絞り込みを行わない仕様であってもかまわない。または、ステップ１１０５〜１１０８までの用紙サイズの比較と絞り込みを行わない仕様であってもかまわない。
【０１２５】
以上のように図１１の処理によれば、端末装置１１０においてユーザが指定した印刷設定と、印刷装置１２０において登録されている用紙情報が比較される。そして、ユーザが指定した印刷設定に合致する用紙情報が、印刷を行う際の印刷設定として採用される。そのため、ユーザが所望し、且つ印刷装置１２０にセットされている印刷用紙の属性（サイズ、タイプ）に応じた印刷を確実に実現することができる。
【０１２６】
また図１１の処理によれば、ユーザは端末装置１１０に対して、印刷装置１２０における用紙タイプ５０４のような詳細な属性の指定ではなく、例えば「写真用紙」のような大まかな用紙タイプ分類を指定する。そして、ユーザが指定した用紙タイプ分類に該当する用紙タイプ分類が設定されている用紙情報が取得され、その用紙情報で指定されている詳細な用紙タイプ５０４が印刷設定に自動的に反映される。
【０１２７】
よってユーザによる端末装置１１０での用紙タイプの指定を容易にし、且つ印刷装置１２０に登録されている詳細な用紙タイプに従った印刷を行うことができる。
【０１２８】
また本実施形態によれば、端末装置１１０は、印刷装置１２０の機種に依存した詳細な用紙タイプを指定しなくても、その詳細な用紙タイプに応じた印刷を実行させることができる。そのため例えば端末装置１１０において動作する印刷用のアプリケーションは、印刷装置１２０の機種に個別の仕様としなくてもよいため、当該アプリケーションを複数機種の印刷装置に対して使用することができる。よって例えばユーザが複数機種の印刷装置を所有していたとしても、その複数機種のそれぞれに個別に応じたアプリケーションをインストールする必要がない。またアプリケーションの開発者も、複数機種のそれぞれに個別に応じたアプリケーションを開発する必要は無い。
【０１２９】
次に、図１１を用いて説明した処理により設定される印刷設定について、図１２を用いて説明する。図１２は、本実施形態における印刷設定処理の結果の一例を示す図である。
【０１３０】
印刷装置の用紙情報５００として、図１２（ａ）に示す用紙情報が登録されているとする。そして、端末装置の印刷設定１２１０としてケース１〜３の設定が実行された場合に、図１０のステップ１００５における印刷で実際に使用される印刷設定を、図１２（ｃ）に示す。
【０１３１】
ケース１のときの端末装置の印刷設定１２１０は、給紙口の指定は「給紙部Ｂ」用紙サイズの指定は「Ａ４」、用紙タイプ分類の指定は「写真用紙」である。上記の印刷設定９１０を含む印刷ジョブ９００が発行されると、印刷装置は図１０、および図１１で説明したフローに示した処理を行う。
【０１３２】
この場合、「給紙部Ｂ」「Ａ４」「写真用紙」が設定されている、図１２（ａ）の下段の用紙情報が印刷ジョブの印刷設定と一致している。そのため図１１に示す処理の結果、印刷装置の用紙情報５００における用紙タイプ「マットフォト紙」が特定され、印刷に用いられる印刷設定である設定結果１２２０として、用紙タイプ「マットフォト紙」が設定される。
【０１３３】
ケース２のときの端末装置の印刷設定１２１０は、給紙口として「自動」、用紙サイズとして「Ｌ判」、用紙タイプ分類として「写真用紙」がそれぞれ指定されている。このような指定が行われている印刷ジョブ９００が発行されると、給紙口の指定は「自動」のため、「給紙部Ａ」でも「給紙部Ｂ」でもかまわない。そのため、図１１のステップ１１０４では用紙情報５００が示す表の上段、下段の両方の用紙情報が候補として残る。ただし、印刷ジョブにおける指定「Ｌ判」「写真用紙」が設定されている上段の用紙情報に絞り込まれるため、用紙タイプとして上段の「光沢フォト紙」が設定結果１２２０として特定される。
【０１３４】
ケース３のときの端末装置の印刷設定１２１０は、給紙口として「自動」、用紙サイズとして「Ａ４」、用紙タイプ分類として「普通紙」がそれぞれ設定されている。そしてこれらが指定された上記の印刷ジョブ９００が発行されると、給紙口は「自動」のため、給紙部Ａ」でも「給紙部Ｂ」でもかまわないが、「Ａ４」「普通紙」の設定が一致している印刷装置の用紙情報５００に存在しない。そのため、印刷装置の用紙情報５００における用紙タイプ「光沢フォト紙」、「マットフォト紙」はいずれも採用されない。具体的には、図１１のステップ１１０８で図１２（ａ）の下段の用紙情報に絞り込まれるが、ステップ１１１１において、用紙情報が取得されないと判定されて、ステップ１１１３の処理が実行される。その結果、図１０におけるステップ１００６の処理が実行される。
【０１３５】
上記のようにステップ１００６における処理（印刷ジョブの印刷設定と印刷装置の用紙情報が不一致の場合の処理）については限定されないが、例えば印刷装置１２０の表示部１２６にエラー表示が行われる。ケース３は、ユーザが印刷装置１２０への用紙のセットや登録操作を誤った場合、または、端末装置１１０における印刷設定を誤った場合に発生する。このような場合に、ステップ１００６においてユーザにエラー通知することで、用紙情報の登録や、端末装置１１０における印刷設定を確認させることができる。
【０１３６】
以上のように本実施形態によれば、印刷装置１２０において用紙セット時に登録された用紙情報が、端末装置１１０においてユーザが指定した印刷設定に合致する場合に、その用紙情報が印刷を行う際の印刷設定として採用される。そのため、ユーザが所望し、且つ印刷装置１２０にセットされている印刷用紙の属性（サイズ、タイプ）に応じた印刷を確実に実現することができる。
【０１３７】
また本願発明によれば、ユーザは端末装置１１０において大まかな用紙タイプ分類を設定することで、印刷装置１２０においてセットされている印刷用紙に合致する詳細な用紙タイプが印刷設定に自動的に反映される。よってユーザによる端末装置１１０での用紙タイプの指定を容易にし、且つ印刷装置１２０にセットされている用紙に応じた詳細な用紙タイプに従って印刷を行うことができる。
【０１３８】
なお、以上の実施形態では、ユーザが端末装置１１０において大まかな指定として用紙タイプ分類を指定する例を示したがこれに限らない。例えばユーザが端末装置１１０において用紙サイズの分類を示す用紙サイズ分類を指定し、印刷装置１２０において、その用紙サイズ分類に合致する詳細な用紙サイズが自動的に印刷設定に反映されてもよい。
【０１３９】
また以上の実施形態では、印刷装置１２０のＣＰＵ１２１が、本実施形態の印刷制御装置として動作し、図１０に示した処理を実行していた。しかし、これに限らず、例えばサーバ装置が印刷制御装置として動作して、図１０に示した処理を実行してもよい。
【０１４０】
例えばサーバ装置が、インターネットを介して接続されている印刷装置１２０から、用紙情報（図５の５００）を取得する。そして端末装置１１０から印刷ジョブ９００をサーバ装置が受信し、そのとき図１０の処理がサーバ装置において実行されてもよい。図１０の処理により、印刷ジョブ９００に記載されている印刷設定９１０に合致する用紙情報が特定される。そして印刷ジョブ９００に記載されている用紙タイプ分類９０４を、当該特定された用紙情報において設定されている詳細な用紙タイプ５０４に書き換えて、その印刷ジョブをサーバ装置が印刷装置１２０に送信する。
【０１４１】
この場合でも、ユーザは端末装置１１０において大まかな設定として用紙タイプ分類を設定することで、印刷装置１２０にセットされている用紙に対応する詳細な用紙タイプに応じた印刷を実行させることができる。
【０１４２】
またはパーソナルコンピュータ（ＰＣ）が、本実施形態における印刷制御装置として動作してもよい。
【０１４３】
また、以上の実施形態では、印刷装置１２０が外部装置である端末装置１１０からの印刷ジョブを受信したときに、印刷設定を自動的に決定する例を示した。しかしこれに限らず、印刷装置１２０の操作部１２５をユーザが操作し、印刷装置１２０内のメモリまたは印刷装置１２０に装着されたメモリカード等の外部メモリに記憶された画像を印刷する場合であってもよい。この場合、印刷装置１２０の表示部１２６において、図８に示したような印刷設定画面が表示される。この場合でも、ユーザは用紙タイプについては分類情報という大まかな指定をすることにより、印刷装置１２０にセットされている印刷用紙に対応する詳細な用紙タイプに従って印刷を実行させることができる。
【０１４４】
なお、本実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【０１４５】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【０１４６】
１２０  印刷装置
１２１  ＣＰＵ
１２２  ＲＯＭ
１２３  ＲＡＭ
１２４  通信部
１２５  操作部
【図１】
0006335714.tif 000002
【図２】
0006335714.tif 000003
【図３】
0006335714.tif 000004
【図４】
0006335714.tif 000005
【図５】
0006335714.tif 000006
【図６】
0006335714.tif 000007
【図７】
0006335714.tif 000008
【図８】
0006335714.tif 000009
【図９】
0006335714.tif 000010
【図１０】
0006335714.tif 000011
【図１１】
0006335714.tif 000012
【図１２】
0006335714.tif 000013